(57)【要約】【課題】基地局装置の通信エリアの無線環境に応じて、基地局装置との接続を許可する端末装置を選択するための閾値を自動的に変化させることを図る。【解決手段】基地局装置が端末装置から受信する接続要求信号の受信電力が閾値以上である場合に当該端末装置との接続を許可し、一方、受信電力が閾値未満である場合に当該端末装置との接続を許可しない基地局装置に設定される閾値を決定する閾値決定部を備え、閾値決定部は、基地局装置の通信品質指標の目標値と基地局装置における通信品質指標の測定値とに応じて閾値を変化させる。【選択図】図１
2019117975.tif 000002
【特許請求の範囲】
【請求項１】
基地局装置が端末装置から受信する接続要求信号の受信電力が閾値以上である場合に当該端末装置との接続を許可し、一方、前記受信電力が閾値未満である場合に当該端末装置との接続を許可しない前記基地局装置に設定される前記閾値を決定する閾値決定部を備え、
前記閾値決定部は、
前記基地局装置の通信品質指標の目標値と前記基地局装置における前記通信品質指標の測定値とに応じて前記閾値を変化させる、
閾値決定装置。
【請求項２】
前記閾値決定部は、前記測定値が前記目標値よりも通信品質的に悪い場合に前記閾値を増加させる、請求項１に記載の閾値決定装置。
【請求項３】
前記閾値決定部は、前記測定値が前記目標値よりも通信品質的に良い場合に前記閾値を減少させる、請求項１又は２のいずれか１項に記載の閾値決定装置。
【請求項４】
前記閾値決定部は、前記基地局装置の接続端末数が目標値超過である場合に前記閾値を増加させる、請求項１に記載の閾値決定装置。
【請求項５】
前記閾値決定部は、前記基地局装置の接続端末数が目標値未満である場合に前記閾値を減少させる、請求項１又は４のいずれか１項に記載の閾値決定装置。
【請求項６】
前記基地局装置の通信エリアの無線環境に応じた前記閾値の最小値が設けられた、請求項１から５のいずれか１項に記載の閾値決定装置。
【請求項７】
前記閾値決定部は、前記閾値が一定の幅の中で留まる場合に、当該一定の幅の中で留まるＲＳＳＩ閾値の範囲の中で前記閾値を決定する、請求項１から６のいずれか１項に記載の閾値決定装置。
【請求項８】
請求項１から７のいずれか１項に記載の閾値決定装置を備える基地局装置。
【請求項９】
基地局装置が端末装置から受信する接続要求信号の受信電力が閾値以上である場合に当該端末装置との接続を許可し、一方、前記受信電力が閾値未満である場合に当該端末装置との接続を許可しない前記基地局装置に設定される前記閾値を決定する閾値決定方法であって、
閾値決定部が、前記基地局装置の通信品質指標の目標値と前記基地局装置における前記通信品質指標の測定値とに応じて前記閾値を変化させる、
閾値決定方法。
【請求項１０】
基地局装置が端末装置から受信する接続要求信号の受信電力が閾値以上である場合に当該端末装置との接続を許可し、一方、前記受信電力が閾値未満である場合に当該端末装置との接続を許可しない前記基地局装置に設定される前記閾値を決定する閾値決定装置のコンピュータに、
前記基地局装置の通信品質指標の目標値と前記基地局装置における前記通信品質指標の測定値とに応じて前記閾値を変化させる機能、
を実現させるためのコンピュータプログラム。
【発明の詳細な説明】
【技術分野】
【０００１】
本発明は、閾値決定装置、基地局装置、閾値決定方法及びコンピュータプログラムに関する。
【背景技術】
【０００２】
無線通信システムにおいて基地局装置と通信を行う端末装置の通信品質の向上に関する技術が、例えば、特許文献１、非特許文献１及び非特許文献２等に開示されている。これらの従来技術では、基地局装置と端末装置との間の通信において一定の通信品質を保証するための閾値を用意し、その閾値を満足する端末装置のみが基地局装置と接続を行うようにしている。
【先行技術文献】
【特許文献】
【０００３】
【特許文献１】特開２００８−０７２６６９号公報
【非特許文献】
【０００４】
【非特許文献１】佐々木亜耶，梅比良正弘、“稠密に展開された無線LANにおけるRSSIを用いたキャリアセンス閾値制御法”、電子情報通信学会、信学技報  RCS2012-235、2012年12月、pp.309-314
【非特許文献２】シスコシステムズ合同会社、“高密度エクスペリエンス（HDX）展開ガイド、リリース 8.0  第２章  リリース 8.0 で追加された高密度エクスペリエンス機能  RX-SOP（Receiver Start of Packet Detection Threshold）”、２０１４年８月１２日、［平成２９年１２月１３日検索］、インターネット＜ＵＲＬ：https://www.cisco.com/c/ja_jp/td/docs/wl/accesspoint/aironet3700/techref/001/b_hdx_dg_final.pdf＞
【発明の概要】
【発明が解決しようとする課題】
【０００５】
基地局装置の通信エリア内に存在する端末装置の台数や通信を行う時間帯などの無線環境によって、基地局装置と端末装置との通信における通信品質（例えば、端末装置のスループット）は変化する。例えば、通信エリア内に存在する端末装置の台数が多かったり、又は、各端末装置における通信量が多い時間帯であったりなど、通信が混み合う無線環境、更に、他者の通信からの干渉が多い無線環境では、各端末装置のスループットが低下する。一方、通信エリア内に存在する端末装置の台数が少なかったり、又は、各端末装置における通信量が少ない時間帯であったりなど、通信が空く無線環境では、各端末装置のスループットが向上する。
【０００６】
しかし、上述した従来技術では、基地局装置の通信エリア内に存在する端末装置の台数や通信を行う時間帯などの無線環境に応じて、基地局装置との接続を許可する端末装置を選択するための閾値を変化させることまでは考慮されていない。
【０００７】
本発明は、このような事情を考慮してなされたものであり、その目的は、基地局装置の通信エリアの無線環境に応じて、基地局装置との接続を許可する端末装置を選択するための閾値を自動的に変化させることを図ることにある。
【課題を解決するための手段】
【０００８】
（１）本発明の一態様は、基地局装置が端末装置から受信する接続要求信号の受信電力が閾値以上である場合に当該端末装置との接続を許可し、一方、前記受信電力が閾値未満である場合に当該端末装置との接続を許可しない前記基地局装置に設定される前記閾値を決定する閾値決定部を備え、前記閾値決定部は、前記基地局装置の通信品質指標の目標値と前記基地局装置における前記通信品質指標の測定値とに応じて前記閾値を変化させる、閾値決定装置である。
（２）本発明の一態様は、上記（１）の閾値決定装置において、前記閾値決定部は、前記測定値が前記目標値よりも通信品質的に悪い場合に前記閾値を増加させる、閾値決定装置である。
（３）本発明の一態様は、上記（１）又は（２）のいずれかの閾値決定装置において、前記閾値決定部は、前記測定値が前記目標値よりも通信品質的に良い場合に前記閾値を減少させる、閾値決定装置である。
（４）本発明の一態様は、上記（１）の閾値決定装置において、前記閾値決定部は、前記基地局装置の接続端末数が目標値超過である場合に前記閾値を増加させる、閾値決定装置である。
（５）本発明の一態様は、上記（１）又は（４）のいずれかの閾値決定装置において、前記閾値決定部は、前記基地局装置の接続端末数が目標値未満である場合に前記閾値を減少させる、閾値決定装置である。
（６）本発明の一態様は、上記（１）から（５）のいずれかの閾値決定装置において、前記基地局装置の通信エリアの無線環境に応じた前記閾値の最小値が設けられた、閾値決定装置である。
（７）本発明の一態様は、上記（１）から（６）のいずれかの閾値決定装置において、前記閾値決定部は、前記閾値が一定の幅の中で留まる場合に、当該一定の幅の中で留まるＲＳＳＩ閾値の範囲の中で前記閾値を決定する、閾値決定装置である。
【０００９】
（８）本発明の一態様は、上記（１）から（７）のいずれかの閾値決定装置を備える基地局装置である。
【００１０】
（９）本発明の一態様は、基地局装置が端末装置から受信する接続要求信号の受信電力が閾値以上である場合に当該端末装置との接続を許可し、一方、前記受信電力が閾値未満である場合に当該端末装置との接続を許可しない前記基地局装置に設定される前記閾値を決定する閾値決定方法であって、閾値決定部が、前記基地局装置の通信品質指標の目標値と前記基地局装置における前記通信品質指標の測定値とに応じて前記閾値を変化させる、閾値決定方法である。
【００１１】
（１０）本発明の一態様は、基地局装置が端末装置から受信する接続要求信号の受信電力が閾値以上である場合に当該端末装置との接続を許可し、一方、前記受信電力が閾値未満である場合に当該端末装置との接続を許可しない前記基地局装置に設定される前記閾値を決定する閾値決定装置のコンピュータに、前記基地局装置の通信品質指標の目標値と前記基地局装置における前記通信品質指標の測定値とに応じて前記閾値を変化させる機能、を実現させるためのコンピュータプログラムである。
【発明の効果】
【００１２】
本発明によれば、基地局装置の通信エリアの無線環境に応じて、基地局装置との接続を許可する端末装置を選択するための閾値を自動的に変化させることができるという効果が得られる。
【図面の簡単な説明】
【００１３】
【図１】一実施形態に係る無線通信システムの構成例を示す概略構成図である。
【図２】一実施形態に係る接続許可判定方法のフローチャートである。
【図３】一実施形態に係る閾値決定方法のフローチャートである。
【図４】一実施形態に係る閾値決定方法の実施例１を説明するためのグラフ図である。
【図５】一実施形態に係る閾値決定方法の実施例２を説明するためのグラフ図である。
【図６】一実施形態に係る無線通信システムの他の構成例を示す概略構成図である。
【発明を実施するための形態】
【００１４】
以下、図面を参照し、本発明の実施形態について説明する。本実施形態では、無線通信システムの例として、無線ＬＡＮ（Local Area Network）システムを挙げて説明する。
【００１５】
図１は、一実施形態に係る無線通信システムの構成例を示す概略構成図である。図１において、無線通信システム１は、無線ＬＡＮのアクセスポイント（Access Point：ＡＰ）装置１０（基地局装置）と、端末装置２０とを備える。ＡＰ装置１０は、アンテナＡＮＴと、送受信部１１と、受信電力判定部１２と、ログ取得部１３と、閾値決定部１４とを備える。
【００１６】
送受信部１１は、アンテナＡＮＴを介して、端末装置２０との間で無線信号を送受する。送受信部１１は、通信品質指標の測定機能を有する。通信品質指標として、例えば、受信信号強度（Received Signal Strength Indicator：ＲＳＳＩ）、ユーザスループット、接続端末数、パケット再送率、変調レートなどがある。
【００１７】
送受信部１１は、端末装置２０から受信する接続要求信号のＲＳＳＩを測定し、当該端末装置２０のＲＳＳＩ測定値を受信電力判定部１２へ送る。受信電力判定部１２は、送受信部１１から当該端末装置２０のＲＳＳＩ測定値を受ける。受信電力判定部１２は、当該端末装置２０のＲＳＳＩ測定値とＲＳＳＩ閾値とを比較する。ＲＳＳＩ閾値は、閾値決定部１４から受信電力判定部１２へ設定される。
【００１８】
受信電力判定部１２は、当該端末装置２０のＲＳＳＩ測定値がＲＳＳＩ閾値以上である場合に当該端末装置２０との接続を許可すると判定する。一方、受信電力判定部１２は、当該端末装置２０のＲＳＳＩ測定値がＲＳＳＩ閾値未満である場合に当該端末装置２０との接続を許可しないと判定する。受信電力判定部１２は、当該端末装置２０に対する接続の許可又は不許可を示す接続許可判定情報を送受信部１１へ送る。送受信部１１は、受信電力判定部１２から当該端末装置２０の接続許可判定情報を受ける。
【００１９】
送受信部１１は、当該端末装置２０の接続許可判定情報が接続の許可である場合に、当該端末装置２０へ接続の許可を示す接続許可信号を返信する。一方、送受信部１１は、当該端末装置２０の接続許可判定情報が接続の不許可である場合に、当該端末装置２０へ、接続許可信号を返信しない又は接続の不許可を示す接続不許可信号を返信する。これにより、ＡＰ装置１０は、端末装置２０から受信する接続要求信号の受信電力が閾値以上である場合に当該端末装置２０との接続を許可し、一方、当該受信電力が閾値未満である場合に当該端末装置２０との接続を許可しない。なお、本実施形態では、受信電力を示す情報としてＲＳＳＩを使用するが、受信電力を示す他の情報を使用してもよい。
【００２０】
送受信部１１は、通信品質指標を測定し、当該通信品質指標の測定値をログ取得部１３へ送る。ログ取得部１３は、送受信部１１から当該通信品質指標の測定値を受ける。ログ取得部１３は、当該通信品質指標の測定値を、当該通信品質指標の測定時刻及び測定場所等の測定環境情報に関連付けて記録する。
【００２１】
閾値決定部１４は、受信電力判定部１２に設定するＲＳＳＩ閾値を決定する。閾値決定部１４は、ログ取得部１３に記録されている通信品質指標の測定値と、ＡＰ装置１０の通信品質指標の目標値とに応じて、ＲＳＳＩ閾値を変化させる。閾値決定部１４は、ＲＳＳＩ閾値を受信電力判定部１２へ設定する。
【００２２】
図１に示されるＡＰ装置１０の各部は、専用のハードウェアにより実現されるものであってもよく、又は、ＣＰＵ（Central Processing Unit：中央演算処理装置）及びメモリ等により構成され、各部の機能を実現するためのコンピュータプログラムをＣＰＵが実行することによりその機能を実現させるものであってもよい。
【００２３】
次に図２を参照して、本実施形態に係るＡＰ装置１０が行う接続許可判定処理を説明する。図２は、本実施形態に係る接続許可判定方法のフローチャートである。
【００２４】
（ステップＳ１）  ＡＰ装置１０は、端末装置２０から接続要求信号を受信する。
【００２５】
（ステップＳ２）  送受信部１１は、端末装置２０から受信する接続要求信号のＲＳＳＩを測定する。送受信部１１は、当該端末装置２０のＲＳＳＩ測定値を受信電力判定部１２へ送る。
【００２６】
（ステップＳ３）  受信電力判定部１２は、端末装置２０のＲＳＳＩ測定値とＲＳＳＩ閾値とを比較する。この比較の結果、当該端末装置２０のＲＳＳＩ測定値がＲＳＳＩ閾値以上である場合にステップＳ４へ進み、一方、当該端末装置２０のＲＳＳＩ測定値がＲＳＳＩ閾値未満である場合にステップＳ５へ進む。
【００２７】
（ステップＳ４）  受信電力判定部１２は、端末装置２０のＲＳＳＩ測定値がＲＳＳＩ閾値以上である場合に、当該端末装置２０との接続を許可すると判定する。受信電力判定部１２は、当該端末装置２０に対する接続の許可を示す接続許可判定情報を送受信部１１へ送る。送受信部１１は、当該端末装置２０の接続許可判定情報が接続の許可であるので、当該端末装置２０へ接続の許可を示す接続許可信号を返信する。ステップＳ４の実行後、図２の処理を終了する。
【００２８】
（ステップＳ５）  受信電力判定部１２は、端末装置２０のＲＳＳＩ測定値がＲＳＳＩ閾値未満である場合に、当該端末装置２０との接続を許可しないと判定する。受信電力判定部１２は、当該端末装置２０に対する接続の不許可を示す接続許可判定情報を送受信部１１へ送る。送受信部１１は、当該端末装置２０の接続許可判定情報が接続の不許可であるので、当該端末装置２０へ、接続許可信号を返信しない。又は、送受信部１１は、当該端末装置２０の接続許可判定情報が接続の不許可である場合に、接続の不許可を示す接続不許可信号を返信してもよい。ステップＳ５の実行後、図２の処理を終了する。
【００２９】
次に図３を参照して、本実施形態に係るＡＰ装置１０が行う閾値決定処理を説明する。図３は、本実施形態に係る閾値決定方法のフローチャートである。
【００３０】
（ステップＳ１１）  閾値決定部１４は、初期設定を行う。この初期設定では、閾値決定部１４は、ＲＳＳＩ閾値の初期値及び通信品質指標の目標値の設定を行う。受信電力判定部１２は、ＲＳＳＩ閾値の初期値を使用して、上記図２に係る接続許可判定処理を開始する。
【００３１】
（ステップＳ１２）  送受信部１１は、通信品質指標を測定する。閾値決定部１４は、通信品質指標の測定値を、ログ取得部１３を介して取得する。
【００３２】
（ステップＳ１３）  閾値決定部１４は、通信品質指標の測定値と通信品質指標の目標値を比較する。この比較の結果、通信品質指標の測定値が通信品質指標の目標値よりも通信品質的に悪い場合にステップＳ１４へ進み、一方、通信品質指標の測定値が通信品質指標の目標値よりも通信品質的に良い場合にステップＳ１５へ進み、その他の場合にステップＳ１６へ進む。その他の場合には、ＲＳＳＩ閾値を変更しないでステップＳ１６へ進むことになる。
【００３３】
（ステップＳ１４）  閾値決定部１４は、通信品質指標の測定値が通信品質指標の目標値よりも通信品質的に悪い場合にＲＳＳＩ閾値を所定の増加量ｕだけ増加させる。閾値決定部１４は、当該増加された結果のＲＳＳＩ閾値を受信電力判定部１２へ設定する。受信電力判定部１２は、当該設定されたＲＳＳＩ閾値を使用して、上記図２に示される接続許可判定処理を実行する。
【００３４】
ここで、ステップＳ１４のＲＳＳＩ閾値を増加させる（つまり、ＲＳＳＩ閾値が大きくなる）ことによる効果を説明する。ＲＳＳＩ閾値が大きくなることにより、ＡＰ装置１０への接続が許可される端末装置２０のＡＰ装置１０における受信電力の下限値が大きくなる。したがって、そのＲＳＳＩ閾値の変更前（つまり、ＲＳＳＩ閾値が大きくなる前）にＡＰ装置１０に接続していた端末装置２０のうち、ＡＰ装置１０における受信電力が変更後のＲＳＳＩ閾値未満である端末装置２０はＡＰ装置１０に接続できなくなる。これにより、ＲＳＳＩ閾値の変更前よりも変更後の方が、ＡＰ装置１０に接続する端末装置２０の受信電力は総じて高くなる。これは、ＡＰ装置１０に接続する端末装置２０のスループットを向上させる効果を奏する。
【００３５】
また、ＲＳＳＩ閾値の変更前（つまり、ＲＳＳＩ閾値が大きくなる前）にＡＰ装置１０に接続していた端末装置２０が、ＲＳＳＩ閾値が大きくなることによりＡＰ装置１０に接続できなくなった場合、当該接続できなくなった端末装置２０がＲＳＳＩ閾値の変更前に使用していた無線リソースが解放されて、ＲＳＳＩ閾値の変更後にＡＰ装置１０に接続する端末装置２０が当該解放された無線リソースを使用することができる。これにより、ＡＰ装置１０に接続する端末装置２０のスループットがさらに向上する効果を奏する。
【００３６】
（ステップＳ１５）  閾値決定部１４は、通信品質指標の測定値が通信品質指標の目標値よりも通信品質的に良い場合にＲＳＳＩ閾値を所定の減少量ｄだけ減少させる。閾値決定部１４は、当該減少された結果のＲＳＳＩ閾値を受信電力判定部１２へ設定する。受信電力判定部１２は、当該設定されたＲＳＳＩ閾値を使用して、上記図２に示される接続許可判定処理を実行する。
【００３７】
ここで、ステップＳ１５のＲＳＳＩ閾値を減少させる（つまり、ＲＳＳＩ閾値が小さくなる）ことによる効果を説明する。ＲＳＳＩ閾値が小さくなることにより、ＡＰ装置１０への接続が許可される端末装置２０のＡＰ装置１０における受信電力の下限値が小さくなる。したがって、そのＲＳＳＩ閾値の変更前（つまり、ＲＳＳＩ閾値が小さくなる前）にはＡＰ装置１０に接続できなかった端末装置２０のうち、ＡＰ装置１０における受信電力が変更後のＲＳＳＩ閾値以上である端末装置２０はＡＰ装置１０に接続できるようになる。これにより、ＲＳＳＩ閾値の変更前よりも変更後の方が、ＡＰ装置１０に接続する端末装置２０の台数を多くする効果を奏する。
【００３８】
（ステップＳ１６）  閾値決定部１４は、ＲＳＳＩ閾値が一定の幅ｗの中で留まっている否かを判断する。この判断の結果、留まっている場合にステップＳ１７へ進み、そうではない場合にステップＳ１２へ戻る。
なお、幅の値ｗを「ｗ＝０」に設定することにより、ステップＳ１６の判断の結果は常に「ＮＯ」になるので、ステップＳ１２からステップＳ１６までを繰り返し続けることになり、ＲＳＳＩ閾値を継続して変化させることができる。
【００３９】
（ステップＳ１７）  閾値決定部１４は、一定の幅ｗの中で留まっているＲＳＳＩ閾値の範囲の中で、受信電力判定部１２へ設定するＲＳＳＩ閾値を決定する。閾値決定部１４は、当該決定された結果のＲＳＳＩ閾値を受信電力判定部１２へ設定する。受信電力判定部１２は、当該設定されたＲＳＳＩ閾値を使用して、上記図２に示される接続許可判定処理を実行する。ステップＳ１７の実行後、図３の処理を終了する。
【００４０】
次に図４、図５を参照して、本実施形態に係る閾値決定方法の実施例を説明する。
【００４１】
［実施例１］
図４を参照して、本実施形態に係る閾値決定方法の実施例１を説明する。図４は、本実施形態に係る閾値決定方法の実施例１を説明するためのグラフ図である。実施例１では、通信品質指標としてユーザスループットを使用する。ユーザスループットは、ＡＰ装置１０に接続する全端末装置２０のスループットの平均値である。図４において、縦軸はユーザスループット（単位はＭｂｐｓ（メガビット／秒））、横軸はＲＳＳＩ閾値である。実線Ｗ１は、ユーザスループットとＲＳＳＩ閾値の関係の一例であって、実施例１の説明のための便宜上の線である。図４の例では、ＲＳＳＩ閾値の初期値は「１０」であり、ユーザスループットの目標値は「１Ｍｂｐｓ（メガビット／秒）」である。
【００４２】
図３の初期設定（ステップＳ１１）において、閾値決定部１４はＲＳＳＩ閾値の初期値「１０」及びユーザスループットの目標値「１Ｍｂｐｓ」を設定する。次いで、図４において、閾値決定部１４は、ＲＳＳＩ閾値「１０」におけるユーザスループットの測定値（実線Ｗ１の値）がユーザスループットの目標値「１Ｍｂｐｓ」未満である（つまり、ユーザスループットの測定値がユーザスループットの目標値よりも通信品質的に悪い）ので、ＲＳＳＩ閾値を所定の増加量ｕ（図４の例ではｕ＝２）だけ増加させて、当該増加された結果のＲＳＳＩ閾値「１２」を受信電力判定部１２へ設定する（ステップＳ１０１）。
【００４３】
次いで、閾値決定部１４は、ＲＳＳＩ閾値「１２」におけるユーザスループットの測定値（実線Ｗ１の値）がユーザスループットの目標値「１Ｍｂｐｓ」未満であるので、ＲＳＳＩ閾値を所定の増加量「２」だけ増加させて、当該増加された結果のＲＳＳＩ閾値「１４」を受信電力判定部１２へ設定する（ステップＳ１０２）。次いで、閾値決定部１４は、ＲＳＳＩ閾値「１４」におけるユーザスループットの測定値（実線Ｗ１の値）がユーザスループットの目標値「１Ｍｂｐｓ」未満であるので、ＲＳＳＩ閾値を所定の増加量「２」だけ増加させて、当該増加された結果のＲＳＳＩ閾値「１６」を受信電力判定部１２へ設定する（ステップＳ１０３）。次いで、閾値決定部１４は、ＲＳＳＩ閾値「１６」におけるユーザスループットの測定値（実線Ｗ１の値）がユーザスループットの目標値「１Ｍｂｐｓ」未満であるので、ＲＳＳＩ閾値を所定の増加量「２」だけ増加させて、当該増加された結果のＲＳＳＩ閾値「１８」を受信電力判定部１２へ設定する（ステップＳ１０４）。
【００４４】
次いで、閾値決定部１４は、ＲＳＳＩ閾値「１８」におけるユーザスループットの測定値（実線Ｗ１の値）がユーザスループットの目標値「１Ｍｂｐｓ」超過である（つまり、ユーザスループットの測定値がユーザスループットの目標値よりも通信品質的に良い）ので、ＲＳＳＩ閾値を所定の減少量ｄ（図４の例ではｄ＝２）だけ減少させて、当該減少された結果のＲＳＳＩ閾値「１６」を受信電力判定部１２へ設定する（ステップＳ１０５）。これ以降、ＲＳＳＩ閾値が一定の幅ｗ（図４の例ではｗ＝２）の中で留まっているので、閾値決定部１４は、当該一定の幅「２」の中で留まっているＲＳＳＩ閾値の範囲「１６から１８まで」の中で、受信電力判定部１２へ設定するＲＳＳＩ閾値を決定する。図４の例では、一定の幅「２」の中で留まっているＲＳＳＩ閾値の範囲「１６から１８まで」の中で最大のＲＳＳＩ閾値「１８」を、受信電力判定部１２へ設定するＲＳＳＩ閾値に決定する。閾値決定部１４は、当該決定された結果のＲＳＳＩ閾値「１８」を受信電力判定部１２へ設定する（ステップＳ１０６）。
【００４５】
上述した実施例１では、ＡＰ装置１０のユーザスループットの目標値とＡＰ装置１０におけるユーザスループットの測定値とに応じてＲＳＳＩ閾値を変化させる。ユーザスループットの測定値がユーザスループットの目標値未満である場合（ユーザスループットの測定値がユーザスループットの目標値よりも通信品質的に悪い場合）には、ＲＳＳＩ閾値を所定の増加量だけ増加させる。これにより、ＲＳＳＩ閾値の変更前よりも変更後の方が、ＡＰ装置１０に接続する端末装置２０の受信電力は総じて高くなるので、ＡＰ装置１０に接続する端末装置２０のスループットを向上させる効果が得られる。また、ＲＳＳＩ閾値の変更後にＡＰ装置１０に接続できなった端末装置２０が解放した無線リソースをＡＰ装置１０に接続する端末装置２０が使用することができるようになるので、ＡＰ装置１０に接続する端末装置２０のスループットがさらに向上する効果が得られる。
【００４６】
一方、ユーザスループットの測定値がユーザスループットの目標値超過である場合（ユーザスループットの測定値がユーザスループットの目標値よりも通信品質的に良い場合）には、ＲＳＳＩ閾値を所定の減少量だけ減少させる。これにより、ＡＰ装置１０への接続が許可される端末装置２０のＡＰ装置１０における受信電力の下限値が小さくなるので、ＲＳＳＩ閾値の変更前よりも変更後の方が、ＡＰ装置１０に接続する端末装置２０の台数を多くする効果が得られる。
【００４７】
上述した実施例１によれば、例えば、ＡＰ装置１０の通信エリア内に存在する端末装置２０の台数が多かったり、又は、各端末装置２０における通信量が多い時間帯であったりなど、通信が混み合う無線環境では、各端末装置２０のスループットが低下するので、ＲＳＳＩ閾値を増加させることにより、高い通信品質の端末装置２０に絞ってＡＰ装置１０に接続させて端末装置２０の高い通信品質を維持させることができる。一方、ＡＰ装置１０の通信エリア内に存在する端末装置２０の台数が少なかったり、又は、各端末装置２０における通信量が少ない時間帯であったりなど、通信が空く無線環境では、各端末装置２０のスループットが向上するので、ＲＳＳＩ閾値を減少させることにより、低い通信品質の端末装置２０もＡＰ装置１０に接続させてＡＰ装置１０の接続端末数を確保させることができる。また、実施例１では、ユーザスループットの測定値による実績に基づいてＲＳＳＩ閾値を変化させるので、電波干渉が多い場所における通信品質の劣化の影響もＲＳＳＩ閾値の変化に反映される。
【００４８】
上述したように実施例１によれば、ＡＰ装置１０の通信エリアの無線環境に応じてＲＳＳＩ閾値を自動的に変化させることができるという効果が得られる。
【００４９】
［実施例２］
図５を参照して、本実施形態に係る閾値決定方法の実施例２を説明する。図５は、本実施形態に係る閾値決定方法の実施例２を説明するためのグラフ図である。実施例２では、通信品質指標として接続端末数を使用する。接続端末数は、ＡＰ装置１０に接続する端末装置２０の総数である。図４において、左縦軸は接続端末数、右縦軸はユーザスループット（単位はＭｂｐｓ）、横軸はＲＳＳＩ閾値である。実線Ｗ２ａは、接続端末数とＲＳＳＩ閾値の関係の一例であって、実施例２の説明のための便宜上の線である。破線Ｗ２ｂは、ユーザスループットとＲＳＳＩ閾値の関係の一例であって、実施例２の説明のための便宜上の線である。図５の例では、ＲＳＳＩ閾値の初期値は「１０」であり、接続端末数の目標値は「１００」である。
【００５０】
図３の初期設定（ステップＳ１１）において、閾値決定部１４はＲＳＳＩ閾値の初期値「１０」及び接続端末数の目標値「１００」を設定する。次いで、図５において、閾値決定部１４は、ＲＳＳＩ閾値「１０」における接続端末数の測定値（実線Ｗ２ａの値）が接続端末数の目標値「１００」超過である（つまり、接続端末数の測定値が接続端末数の目標値よりも通信品質的に悪い）ので、ＲＳＳＩ閾値を所定の増加量ｕ（図５の例ではｕ＝２）だけ増加させて、当該増加された結果のＲＳＳＩ閾値「１２」を受信電力判定部１２へ設定する（ステップＳ２０１）。
【００５１】
次いで、閾値決定部１４は、ＲＳＳＩ閾値「１２」における接続端末数の測定値（実線Ｗ２ａの値）が接続端末数の目標値「１００」超過であるので、ＲＳＳＩ閾値を所定の増加量「２」だけ増加させて、当該増加された結果のＲＳＳＩ閾値「１４」を受信電力判定部１２へ設定する（ステップＳ２０２）。次いで、閾値決定部１４は、ＲＳＳＩ閾値「１４」における接続端末数の測定値（実線Ｗ２ａの値）が接続端末数の目標値「１００」超過であるので、ＲＳＳＩ閾値を所定の増加量「２」だけ増加させて、当該増加された結果のＲＳＳＩ閾値「１６」を受信電力判定部１２へ設定する（ステップＳ２０３）。
【００５２】
次いで、閾値決定部１４は、ＲＳＳＩ閾値「１６」における接続端末数の測定値（実線Ｗ２ａの値）が接続端末数の目標値「１００」未満である（つまり、接続端末数の測定値が接続端末数の目標値よりも通信品質的に良い）ので、ＲＳＳＩ閾値を所定の減少量ｄ（図５の例ではｄ＝２）だけ減少させて、当該減少された結果のＲＳＳＩ閾値「１４」を受信電力判定部１２へ設定する（ステップＳ２０４）。これ以降、ＲＳＳＩ閾値が一定の幅ｗ（図５の例ではｗ＝２）の中で留まっているので、閾値決定部１４は、当該一定の幅「２」の中で留まっているＲＳＳＩ閾値の範囲「１４から１６まで」の中で、受信電力判定部１２へ設定するＲＳＳＩ閾値を決定する。図５の例では、一定の幅「２」の中で留まっているＲＳＳＩ閾値の範囲「１４から１６まで」の中で最大のＲＳＳＩ閾値「１６」を、受信電力判定部１２へ設定するＲＳＳＩ閾値に決定する。閾値決定部１４は、当該決定された結果のＲＳＳＩ閾値「１６」を受信電力判定部１２へ設定する（ステップＳ２０５）。
【００５３】
上述した実施例２では、ＡＰ装置１０の接続端末数の目標値とＡＰ装置１０における接続端末数の測定値とに応じてＲＳＳＩ閾値を変化させる。接続端末数の測定値が接続端末数の目標値超過である場合（接続端末数の測定値が接続端末数の目標値よりも通信品質的に悪い場合）には、ＲＳＳＩ閾値を所定の増加量だけ増加させる。これにより、ＲＳＳＩ閾値の変更前にＡＰ装置１０に接続していた端末装置２０のうち、ＡＰ装置１０におけるＲＳＳＩ測定値が変更後のＲＳＳＩ閾値未満である端末装置２０はＡＰ装置１０に接続できなくなるので、ＡＰ装置１０の接続端末数の目標値からの超過分を削減することができる。そのＲＳＳＩ閾値の変更後にＡＰ装置１０に接続できなった端末装置２０が解放した無線リソースは、ＡＰ装置１０に接続する端末装置２０に使用させることができるので、ＡＰ装置１０に接続する端末装置２０のスループットが向上する効果が得られる。また、ＲＳＳＩ閾値の変更前よりも変更後の方が、ＡＰ装置１０に接続する端末装置２０の受信電力は総じて高くなるので、ＡＰ装置１０に接続する端末装置２０のスループットをさらに向上させる効果が得られる。
【００５４】
一方、接続端末数の測定値が接続端末数の目標値未満である場合（接続端末数の測定値が接続端末数の目標値よりも通信品質的に良い場合）には、ＲＳＳＩ閾値を所定の減少量だけ減少させる。これにより、ＲＳＳＩ閾値の変更前にはＡＰ装置１０に接続できなかった端末装置２０のうち、ＡＰ装置１０におけるＲＳＳＩ測定値が変更後のＲＳＳＩ閾値超過となった端末装置２０はＡＰ装置１０に接続できるので、ＡＰ装置１０の接続端末数の目標値からの不足分を補うことができる。
【００５５】
上述した実施例２によれば、例えば、ＡＰ装置１０の通信エリア内に存在する端末装置２０の台数が多くてＡＰ装置１０の接続端末数が過剰な無線環境では、ＲＳＳＩ閾値を増加させることにより、高い通信品質の端末装置２０に絞ってＡＰ装置１０に接続させて適切な接続端末数を実現し端末装置２０の通信品質を確保させることができる。一方、ＡＰ装置１０の通信エリア内に存在する端末装置２０の台数が少なくてＡＰ装置１０の接続端末数が過少な無線環境では、ＲＳＳＩ閾値を減少させることにより、低い通信品質の端末装置２０もＡＰ装置１０に接続させてＡＰ装置１０の接続端末数を確保させることができる。
【００５６】
上述したように実施例２によれば、ＡＰ装置１０の通信エリアの無線環境に応じてＲＳＳＩ閾値を自動的に変化させることができるという効果が得られる。
【００５７】
［変形例］
以下に本実施形態に係る変形例を説明する。
上述した実施例１，２では、ＲＳＳＩ閾値の増加量ｕと減少量ｄとが同じ値（図４及び図５の例ではｕ＝ｄ＝２）であるが、増加量ｕと減少量ｄとは異なる値であってもよい。また、通信品質指標の測定値が最初に通信品質指標の目標値に到達するまではＲＳＳＩ閾値の変化量（増加量ｕ、減少量ｄ）を大きくしておき、通信品質指標の測定値が通信品質指標の目標値に到達した後は、段階的にＲＳＳＩ閾値の変化量（増加量ｕ、減少量ｄ）を小さくしてもよい。
【００５８】
また、ＲＳＳＩ閾値の初期値は、予めＡＰ装置１０に設定されていてもよく、又は、ＡＰ装置１０が自律的に決定してもよい。例えば、ＡＰ装置１０が一定期間分のＲＳＳＩ測定値を蓄積し、蓄積されたＲＳＳＩ測定値に基づいてＲＳＳＩの最小値を判断し、判断結果のＲＳＳＩの最小値に基づいてＲＳＳＩ閾値の初期値を決定してもよい。例えば、判断結果のＲＳＳＩの最小値をＲＳＳＩ閾値の初期値にしてもよい。
【００５９】
また、ＲＳＳＩ閾値に下限値を設け、ＲＳＳＩ閾値が下限値を下回らないようにしてもよい。ＲＳＳＩ閾値の下限値はＡＰ装置１０の通信エリアの無線環境に応じて変化させてもよい。例えば、ＡＰ装置１０の通信エリアにおける端末装置２０の在圏密度が高い場合には、ＲＳＳＩ閾値の下限値を大きくして通信品質の悪い端末装置２０をＡＰ装置１０に接続させないようにしてもよい。一方、ＡＰ装置１０の通信エリアにおける端末装置２０の在圏密度が低い場合には、ＲＳＳＩ閾値の下限値を小さくして接続端末数を確保するようにしてもよい。
【００６０】
また、通信品質指標の目標値は、適宜変更してもよい。例えば、接続端末数を重視する場合には、ユーザスループットの目標値を低くしてもよい。例えば、曜日や祝日を示すカレンダー情報に基づいて、平日と、土曜、日曜及び祝日とで通信品質指標の目標値を変えてもよい。
【００６１】
また、上述した実施形態では、受信電力を示す情報としてＲＳＳＩを使用するが、受信電力を示す他の情報を使用してもよい。
【００６２】
また、上述した実施例１，２では、通信品質指標としてユーザスループット（実施例１）と接続端末数（実施例２）を使用したが、他の通信品質指標を使用してもよい。他の通信品質指標として、例えば、パケット再送率、変調レートなどを使用してもよい。
【００６３】
また、閾値決定部１４は、ＡＰ装置１０とは別個の装置として構成してもよい。図６は、本実施形態に係る無線通信システムの他の構成例を示す概略構成図である。図６において、図１の各部に対応する部分には同一の符号を付け、その説明を省略する。図６に示される無線通信システム１ａは、ＡＰ装置１０ａと、ログ装置１３０と、閾値決定装置１４０と、端末装置２０とを備える。ＡＰ装置１０ａは、送受信部１１と受信電力判定部１２とを備える。閾値決定装置１４０は、閾値決定部１４を備える。ログ装置１３０は、ログ取得部１３を備える。図６の例では、閾値決定部１４とログ取得部１３とが、それぞれに、ＡＰ装置１０とは別個の装置として構成される。図６に示される無線通信システム１ａは、図１に示される無線通信システム１と同様に、図２に示される接続許可判定方法及び図３に示される閾値決定方法を実施する。
【００６４】
上述したように本実施形態によれば、ＡＰ装置１０の通信エリアの無線環境に応じてＲＳＳＩ閾値を自動的に変化させることができるという効果が得られる。これにより、ＲＳＳＩ閾値を人手により設定変更する手間が省けるので、迅速かつ低コストでＲＳＳＩ閾値の設定変更を実現することができる。
【００６５】
以上、本発明の実施形態について図面を参照して詳述してきたが、具体的な構成はこの実施形態に限られるものではなく、本発明の要旨を逸脱しない範囲の設計変更等も含まれる。
【００６６】
なお、上述した実施形態では、無線通信システムの例として無線ＬＡＮシステムに適用したが、無線ＬＡＮシステム以外の他の無線通信システムに適用してもよい。
【００６７】
また、上述した各装置の機能を実現するためのコンピュータプログラムをコンピュータ読み取り可能な記録媒体に記録して、この記録媒体に記録されたプログラムをコンピュータシステムに読み込ませ、実行するようにしてもよい。なお、ここでいう「コンピュータシステム」とは、ＯＳや周辺機器等のハードウェアを含むものであってもよい。
また、「コンピュータ読み取り可能な記録媒体」とは、フレキシブルディスク、光磁気ディスク、ＲＯＭ、フラッシュメモリ等の書き込み可能な不揮発性メモリ、ＤＶＤ（Digital Versatile Disc）等の可搬媒体、コンピュータシステムに内蔵されるハードディスク等の記憶装置のことをいう。
【００６８】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００６９】
１…無線通信システム、１０，１０ａ…ＡＰ装置、１１…送受信部、１２…受信電力判定部、１３…ログ取得部、１４…閾値決定部、２０…端末装置、１３０…ログ装置、１４０…閾値決定装置、ＡＮＴ…アンテナ
【図１】
2019117975.tif 000003
【図２】
2019117975.tif 000004
【図３】
2019117975.tif 000005
【図４】
2019117975.tif 000006
【図５】
2019117975.tif 000007
【図６】
2019117975.tif 000008